(57)【要約】      （修正有）【課題】内部の蒸れを抑制するとともに、清涼感のある触感を与えることのできる生理用ショーツの提供。【解決手段】ショーツ本体５は、第１伸縮生地から形成された第１域２１と、第２伸縮生地から形成された第２域２２とを有し、前身頃１１において、第１域２１は、横方向Ｘにおいて互いに対向する前方両側部分３１、３２と、前方両側部分３１、３２間に配置された前方中央部分３３とを有する。第２域２２は、第１域２１の前方両側部分３１、３２と前方中央部分３３との間に位置していて、ウエスト開口側から股下域側へ縦断中心線Ｐに向かうように傾斜して延びている。【選択図】図２
0003224661.tif 000002
【実用新案登録請求の範囲】
【請求項１】
縦方向及び横方向を有し、前記横方向の寸法を２等分する縦断中心線と、前身頃と、後身頃と、前記前後身頃間に位置する股下域と、ウエスト開口とを含むショーツ本体を備えた生理用ショーツにおいて、
前記ショーツ本体は、弾性伸縮性を有する身生地から形成されていて、
前記身生地は、吸湿速乾性を有する第１伸縮生地と、通気性を有する第２伸縮生地とを有し、
前記ショーツ本体は、前記第１伸縮生地から形成された第１域と、前記第２伸縮生地から形成された第２域とを有し、
前記前身頃において、前記第１域は、前記横方向において互いに対向する前方両側部分と、前記前方両側部分間に配置された前方中央部分とを有し、
前記第２域は、前記第１域の前記前方両側部分と前記前方中央部分との間に位置していて、前記ウエスト開口側から前記股下域側へ前記縦断中心線に向かうように傾斜して延びていることを特徴とする前記生理用ショーツ。
【請求項２】
前記第２域は、前記前身頃において、前記ウエスト開口側から前記股下域側へ延びるにつれて次第に幅狭となる形状を有する請求項１に記載の生理用ショーツ。
【請求項３】
前記第１域は、前記後身頃において、前記横方向において対向する後方両側部分を有し、前記第２域は前記後方両側部分の前記ウエスト開口側において前記横方向へ連続して延びるとともに、前記後方両側部分の間において前記縦断中心線に沿って前記縦方向へ延びている請求項１又は２に記載の生理用ショーツ。
【請求項４】
前記第２域の前記横方向における伸長応力は、前記第１域の前記横方向における伸長応力よりも高い請求項１〜３のいずれかに記載の生理用ショーツ。
【請求項５】
前記第２域は、前記後身頃において前記縦断中心線に沿って延びる後方縦断部分を有し、前記後方縦断部分の両側に位置する前記後方両側部分の一部には、シャーリングが形成されている請求項３に記載の生理用ショーツ。
【請求項６】
前記第２域は、前記後身頃において、前記後方縦断部分の前記横方向の両側に位置する一対の後方横断部分を有し、前記後方横断部分は、前記後身頃の両側縁から前記縦断中心線に向かって次第に幅広となる形状を有する請求項５に記載の生理用ショーツ。
【請求項７】
前記第２域の前記後方縦断部分は、前記第２伸縮生地が複数重ねられて形成された複層域である請求項５又は６に記載の生理用ショーツ。
【請求項８】
前記第２域の前記後方縦断部分は、前記後方横断部分間に位置する上端部と、下端部とを有し、前記下端部から前記上端部に向かうにつれて次第に幅広となる形状を有する請求項５〜７のいずれかに記載の生理用ショーツ。
【請求項９】
前記第２域は、前記前身頃の前記ウエスト開口側から前記後身頃の前記ウエスト開口側へ連続して延びている請求項１〜８のいずれかに記載の生理用ショーツ。
【請求項１０】
前記第２伸縮生地はメッシュ状であって、前記第２域は、着用者の肌が外部に透視される透視領域である請求項１〜９のいずれかに記載の生理用ショーツ。
【考案の詳細な説明】
【技術分野】
【０００１】
本考案は、生理用ショーツに関する。
【背景技術】
【０００２】
従来、生理用ショーツは、公知である。例えば、特許文献１と特許文献２とには、それぞれ、前身頃と、後身頃と、着用者の股間に対向する股部とを有し、伸縮性を有する身生地を備えた生理用ショーツが開示されている。
【先行技術文献】
【特許文献】
【０００３】
【特許文献１】特開２００５−４６１８１号公報
【特許文献２】実開平５−９１６４４号公報
【考案の概要】
【考案が解決しようとする課題】
【０００４】
特許文献１に開示された生理用ショーツでは、前身頃と後身頃との広い範囲に通気性に優れたメッシュ状の身生地が使用されていることから、前後身頃全体は通気性に優れる。一方、特許文献２に開示された生理用ショーツでは、股下域に吸湿速乾性に優れた身生地が使用されていることから、さらさらとした清涼感のある触感を与えることができる。
【０００５】
しかしながら、特許文献１の生理用ショーツでは、メッシュ状の身生地が配置されていない部分では通気性が悪く、発汗によって着用者にべた付くような不快な感触を与えてしまうおそれがある。一方、引用文献２の生理用ショーツでは、股下域のみが吸湿速乾性に優れた素材から形成されていることから、前後身頃では着用者の発汗によって蒸れてしまい、着用者にべた付くような不快感を与えたり、肌がかぶれるおそれがある。
【０００６】
本考案は、従来の生理用ショーツの改良であって、内部の蒸れを抑制するとともに、清涼感のある触感を与えることのできる生理用ショーツの提供に関する。
【課題を解決するための手段】
【０００７】
前記課題を解決するために、本考案は、縦方向及び横方向を有し、前記横方向の寸法を２等分する縦断中心線と、前身頃と、後身頃と、前記前後身頃間に位置する股下域と、ウエスト開口とを含むショーツ本体を備えた生理用ショーツに関する。
【０００８】
本考案に係る生理用ショーツは、前記ショーツ本体は、弾性伸縮性を有する身生地から形成されていて、前記身生地は、吸湿速乾性を有する第１伸縮生地と、通気性を有する第２伸縮生地とを有し、前記ショーツ本体は、前記第１伸縮生地から形成された第１域と、前記第２伸縮生地から形成された第２域とを有し、前記前身頃において、前記第１域は、前記横方向において互いに対向する前方両側部分と、前記前方両側部分間に配置された前方中央部分とを有し、前記第２域は、前記第１域の前記前方両側部分と前記前方中央部分との間に位置していて、前記ウエスト開口側から前記股下域側へ前記縦断中心線に向かうように傾斜して延びていることを特徴とする。
【０００９】
本考案に係る生理用ショーツは、以下の好ましい実施態様を含む。
（１）前記第２域は、前記前身頃において、前記ウエスト開口側から前記股下域側へ延びるにつれて次第に幅狭となる形状を有する。
（２）前記第１域は、前記後身頃において、前記横方向において対向する後方両側部分を有し、前記第２域は前記後方両側部分の前記ウエスト開口側において前記横方向へ連続して延びるとともに、前記後方両側部分の間において前記縦断中心線に沿って前記縦方向へ延びている。
（３）前記第２域の前記横方向における伸長応力は、前記第１域の前記横方向における伸長応力よりも高い。
（４）前記第２域は、前記後身頃において前記縦断中心線に沿って延びる後方縦断部分を有し、前記後方縦断部分の両側に位置する前記後方両側部分の一部には、シャーリングが形成されている。
（５）前記第２域は、前記後身頃において、前記後方縦断部分の前記横方向の両側に位置する一対の後方横断部分を有し、前記後方横断部分は、前記後身頃の両側縁から前記縦断中心線に向かって次第に幅広となる形状を有する。
（６）前記第２域の前記後方縦断部分は、前記第２伸縮生地が複数重ねられて形成された複層域である。
（７）前記第２域の前記後方縦断部分は、前記後方横断部分間に位置する上端部と、下端部とを有し、前記下端部から前記上端部に向かうにつれて次第に幅広となる形状を有する。
（８）前記第２域は、前記前身頃の前記ウエスト開口側から前記後身頃の前記ウエスト開口側へ連続して延びている。
（９）前記第２伸縮生地はメッシュ状であって、前記第２域は、着用者の肌が外部に透視される透視領域である。
【考案の効果】
【００１０】
本考案に係る生理用ショーツにおいては、前後身頃の身生地として吸湿速乾性を有する第１伸縮生地と通気性を有する第２伸縮生地を使用していることから、スポーツ等において激しく身体が動いた場合であっても、身体にフィットするとともに、内部が蒸れることなく、着用者の肌に対して全体として、さらさらとした清涼感のある触感を与えることができる。
【図面の簡単な説明】
【００１１】
【図１】本考案に係る、着用状態における生理用ショーツを正面から視た斜視図。
【図２】生理用ショーツの展開平面図。
【図３】前身頃の内面側の平面図。
【図４】後身頃の内面側の平面図。
【図５】着用状態における生理用ショーツを側面から視た斜視図。
【図６】着用状態における生理用ショーツを背面から視た斜視図。
【考案を実施するための形態】
【００１２】
下記の実施の形態は、図１〜図６に示す生理用ショーツ１０に関し、考案の不可欠な構成ばかりではなく、選択的及び好ましい構成を含む。各図において、説明の便宜上、後記のショーツ本体５のうち、第２伸縮生地から形成された第２域２２には薄黒色を付している。
【００１３】
図１〜図６を参照すると、本考案の生理用ショーツの一例として示す、生理用ショーツ１０は、縦方向Ｙ及び横方向Ｘと、着用状態における前後方向Ｚとを有し、ウエスト開口１８及び一対のレッグ開口１９と、前身頃１１と、後身頃１２と、前後身頃１１，１２間に位置する股下域１３とを備えたショーツ本体５とを有する。股下域１３は、説明の便宜上、一対の横断縫合ライン６，７間に位置している。ここで、前身頃１１とは、生理用ショーツ１０の正面視において股下域１３の後側部分を除く領域を意味し、後身頃１２とは、生理用ショーツ１０の背面視において股下域１３の後側部分を除く領域を意味する。ショーツ本体５（生理用ショーツ１０）は、その横方向Ｘの寸法を２等分する縦断中心線Ｐをさらに有する。
【００１４】
図１，５，６を参照すると、生理用ショーツ１０は前後身頃１１，１２を形成する身生地が胴周り方向へ連続して延びていて、前後身頃１１，１２の両側縁を区分するシーム部分がない形態（シームレス）を有する。また、生理用ショーツ１０の大きさはサイズによって異なるが、例えば、ウエスト開口１８の周寸法は５０〜７０ｃｍ、レッグ開口１９の周寸法は３５〜４５ｃｍである。
【００１５】
図２は、説明の便宜上、前後身頃１１，１２を区分するために生理用ショーツ１０の一部を切断して展開して、肌対向面（内面）側を上面とした平面図である。具体的には、生理用ショーツ１０の前側部分（前身頃１１と股下域１３の前方部分）の内面と後側部分（後身頃１２と股下域１３の後方部分）の内面とが互いに当接するように載置台に生理用ショーツ１０を平置きした状態において、生理用ショーツ１０の両側部分において縦方向Ｙへ延びる折曲ラインに沿ってハサミ等の切断手段で切断した。したがって、後記の前後身頃１１，１２の両側縁１１ｃ，１１ｄ，１２ｃ，１２ｄは、かかる切断による切断ラインＣＬによって画成された部位である（図５参照）。
【００１６】
前身頃１１は、横断縫合ライン６に沿って延びる直線状部位とその両側に位置する両曲状部位とかなる下端縁１１ａと、上端縁１１ｂと、上下端縁１１ａ，１１ｂ間において縦方向Ｙへ延びる両側縁１１ｃ，１１ｄとを有する。後身頃１２は、横断縫合ライン７に沿って延びる直線状部位とその両側に位置する両曲状部位とからなる下端縁１２ａと、上端縁１２ｂと、上下端縁１２ａ，１２ｂ間において縦方向Ｙへ延びる両側縁１２ｃ，１２ｄとを有する。
【００１７】
生理用ショーツ１０は、ショーツ本体５の外形（外面全体）を形成する身生地を有する。身生地は、編み組織によって縦方向Ｙと横方向Ｘとに弾性的に伸縮可能な伸縮生地（ツーウエイストレッチ生地）から形成されており、吸湿速乾性を有する第１伸縮生地と、通気性を有する第２伸縮生地とを含む。ショーツ本体５は、第１伸縮生地から形成された第１域２１と、第２伸縮生地から形成された第２域２２とを有する。なお、説明の便宜上、各図において第２伸縮生地から形成された第２域２２に薄黒色を付しているが、実際の製品においても、第２域２２には第１域２１とは異なる色彩を付していてもよい。具体的には、例えば、第１域２１が黒色であるのに対し、第２域２２が赤色、黄色または青色等の有彩色を有することによって、第２域２２が需要者の注意を惹きつける装飾要素としても機能しうる。
【００１８】
第１伸縮生地は、伸縮性を有するとともに、着用者の汗を素早く吸収して乾かすことのできる吸湿速乾性に優れた公知の素材から形成することができ、例えば、吸湿（水）性の繊維からなる糸と伸縮性に優れた繊維とから形成された糸とを用いることができる。吸湿（水）性の繊維としては、コットン、麻等の植物繊維、ウール等の獣毛繊維、親水性の付与されたポリエステル等の合成繊維、キュプラ、レーヨン、アセテートの再生繊維等が挙げられる。また、伸縮性に優れた繊維としては、ポリウレタン（例えば、スパンデックス等）、エラストマー系ポリマー（例えば、ウレタン系エラストマー、ポリエステル系エラストマー、ポリアミド系エラストマー等の熱可塑性エラストマー）等が挙げられる。
【００１９】
本実施形態に係る第１伸縮生地には、吸湿速乾性のポリエステル繊維からなる第１糸とスパンデックス繊維からなる第２糸とを編み込んで形成した編み物が好適に使用される。吸湿速乾性のポリエステル繊維は、断面形状が丸形、異形等の各種形状であって、中空繊維の壁面に更に小さな孔が多数設けられている繊維や、繊維表面等に多くの溝や孔等が設けられて、吸湿性はこれら繊維自体の微小な孔、繊維表面の溝、繊維間、糸間の空隙に水分が吸収されるようにした異形断面形状の繊維等を意味する。第１伸縮生地が所望の吸湿速乾性と伸縮性とをバランスよく備えるためには、第１糸の含有率が７５〜９５％、第２糸の含有率が５〜２５％であることが好ましい。
【００２０】
また、第１伸縮生地の他の構成として、太さの異なる糸を組み合わせながら生地を多層構造にして汗の発散作用を促す生地を用いることができる。係る場合には、肌に接する内層を吸湿層、最も外側に位置する外層を拡散・蒸発層、内外層間に位置する中間層を導水層とする３層構造を採用し、各層の繊維密度を相異させて毛管作用によって、汗を肌から表面へ向かって一方向へ速やかに移動して拡散し、優れた吸湿速乾性を発揮させることができる。
【００２１】
身生地の第２伸縮生地としては、通気性に優れた公知の素材を用いることができ、伸縮性のメッシュ生地が好適に用いられる。伸縮性のメッシュ生地は、例えば、メリヤス（天竺）、トリコットやラッセルなどの編機により製造される、編物の表面に貫通孔を有する編物布帛を意味する。伸縮性のメッシュ生地を構成する繊維としては、スパンデックス等のポリウレタン系繊維或いはポリウレタン系繊維と他のナイロン、アクリル等との混紡繊維などを挙げることができる。
【００２２】
前後身頃１１，１２において、第１伸縮生地からなる第１域２１は、第２伸縮生地からなる第２域２２に比べて比較的に広範囲に配置されている。したがって、本考案に係る生理用ショーツ１０では、吸湿速乾性の第１伸縮生地からなる第１域２１をベースとして、通気性に優れた第２伸縮生地からなる第２域２２をバランスよく配置することで、スポーツ等で激しく体を動かす場合であっても、蒸れた感じがせずに、さらさらとした清涼感のある触感によって、快適な着用感を与えることができる。
【００２３】
図２，３を参照すると、ウエスト開口縁部には、ショーツ本体５を形成する身生地に環状縫合ライン８によって縫い付けられたウエスト弾性体６０によって弾性が付与されたウエスト弾性域が位置している。ウエスト弾性体６０はウエスト周り方向へ延びる１本の平ゴムであって、その両端部６０ａ，６０ｂが後身頃１２の縦断中心線Ｐと交差する位置で互いに前後方向に重ねられた状態で縫合されている（図４の拡大図参照）。ウエスト弾性体６０には、平ゴムの他に、身生地と身生地の一部を折り返して形成した部分（又は、身生地とは別体の生地からなる部分）に介在した状態で固定された、単数または複数の糸状、テープ状またはリボン状のゴムやウレタン、伸縮性繊維不織布等の弾性材料を用いることができる。
【００２４】
両レッグ開口縁部には、環状縫合ライン９によって縫い付けられたレッグ弾性体６１によって弾性が付与されたレッグ弾性域が配置されている。レッグ弾性体６１は、糸状、テープ状またはリボン状のゴムやウレタン、伸縮性繊維不織布等の弾性材料から形成されるものであって、環状縫合ライン９によって身生地に取り付けられるほかに、身生地と身生地の一部を折り返して形成した部分（または、身生地とは別体の生地からなる部分）に介在した状態で固定されていてもよい。
【００２５】
前身頃１１は、第１伸縮生地の第１域２１からなる前方両側部分３１，３２と、横方向Ｘにおいて前方両側部分３１，３２間に間隔を空けて配置された前方中央部分３３とを有する。また、前身頃１１は、前方両側部分３１，３２と前方中央部分３３との間に位置する、第２伸縮生地の第２域（薄黒色を配した領域）２２からなる一対の前方縦断部分３５Ａ，３５Ｂをさらに有する。前身頃１１の側縁１１ｃ側から側縁１１ｄ側へ向かって、前方側部分３１、前方縦断部分３５Ａ、前方中央部分３３、前方縦断部分３５Ｂ、前方側部分３２は、横方向において並んだ状態で縦断縫合ライン３６ａ−３６ｄを介して互いに接合されている。
【００２６】
第２域２２からなる前方縦断部分３５Ａ，３５Ｂは、第１域２１の前方両側部分３１，３２と前方中央部分３３との間に位置していて、ウエスト開口１８側から股下域１３側へ縦断中心線Ｐに向かうように傾斜して延びている。図１，２に示すとおり、着用状態において、第２域２２からなる前方縦断部分３５Ａ，３５Ｂは着用者の鼠蹊部に沿うように配置されている。スポーツ等の激しい運動をした場合には特に、鼠蹊部には熱が籠って汗が溜まり蒸れ易くなるが、通気性に優れる第２域２２からなる前方縦断部分３５Ａ，３５Ｂが鼠蹊部と当接するように位置することによって、蒸れを抑制することができる。
【００２７】
また、第２域２２からなる前方縦断部分３５Ａ，３５Ｂは、前身頃１１において、ウエスト開口１８側から股下域１３側へ延びるにつれて次第に幅狭となる形状を有する。前身頃１１のウエスト開口１８側は、ウエスト弾性域によって肌に密着することから股下域１３側に比べて発汗し易くなるが、ウエスト開口１８側において第２域２２からなる前方縦断部分３５Ａ，３５Ｂを幅広にすることによって、股下域１３側に比べて通気性が向上し、発汗によってウエスト弾性体６０によるゴム痕が肌に付くのを防止することができる。
【００２８】
図２，４を参照すると、後身頃１２は、第１域２１からなる、横方向Ｘにおいて互いに対向する後方両側部分４１，４２を有する。また、後身頃１２において、第２域２２は、後方両側部分４１，４２の上方において横方向Ｘへ連続して延びるとともに、後方両側部分４１，４２の間において縦断中心線Ｐに沿って縦方向Ｙへ延びている。具体的には、後身頃１２は、第２域２２からなる、内端縁１２ａから横断縫合ライン７まで、縦断中心線Ｐに沿って縦方向Ｙへ延びる後方縦断部分４３と、後方両側部分４１，４２の上方に位置し、かつ、後方縦断部分４３の両側に位置する一対の後方横断部分４５Ａ，４５Ｂとを有する。なお、図示例では、後方縦断部分４３は、縦断中心線Ｐと重なるように縦方向Ｙへ延びているが、本願考案の技術的効果を奏する限りにおいて、横方向Ｘに位置ずれして縦断中心線Ｐと重なっていなくても、それに沿うように延びていればよい。
【００２９】
第１域２１からなる後方両側部分４１，４２と第２域２２からなる後方縦断部分４３、後方縦断部分４３と第２域２２からなる後方横断部分４５Ａ，４５Ｂとは、それぞれ、縦断縫合ライン４６ａ，４６ｂによって互いに接合されている。また、後方両側部分４１，４２と第２域２２からなる後方横断部分４５Ａ，４５Ｂは横断縫合ライン４６ｃ，４６ｄによって互いに接合されている。
【００３０】
図６を参照すると、後方縦断部分４３は、着用者の臀溝２に沿って延びている。着用者の臀溝２は後下半身のうちで最も熱が籠って汗が溜まり蒸れ易い部分であるが、通気性の高い第２域２２からなる後方縦断部分４３を臀溝２に沿って配置することで、発汗を抑えて蒸れを抑制することができる。また、第１域２１からなる後方両側部分４１，４２は、着用者の臀部を覆うように配置されていることから、曲状の臀部の形状に沿って伸縮して肌にフィットするとともに、優れた吸湿速乾性を備え、発汗してもすぐにさらさらとした清涼感のある触感を与えることができる。さらに、後方両側部分４１，４２の上方であって、ウエスト開口１８側に第２域２２からなる後方横断部分４５Ａ，４５Ｂが配置されることで、ウエスト伸縮域によって肌に密着されるウエスト開口縁部の通気性を高めて、発汗を抑制することができる。
【００３１】
ここで、第２域２２の横方向Ｘにおける伸長応力は、第１域２１の横方向Ｘにおける伸長応力よりも高くなっている。したがって、第２域２２は、第１域２１に比べて横方向Ｘに伸び難くなっているといえる。生理用ショーツ１０が着用されて全体的にウエスト周り方向へ伸長された状態において、前後身頃１１，１２の比較的に広い範囲に配置された第１域２１からなる部分が十分に伸長されて、身体のうちの比較的に平坦な部分に適度にフィットされる。第１及び第２域２１，２２の伸長応力は、公知の引張試験機、例えば、インストロン  ジャパン  カンパニーリミテッド社の引張試験機を用いて測定した。
【００３２】
一方、着用者の腹側のうちで凹部となる鼠径部近傍を被覆するように第２域２２の前方縦断部分３５Ａ，３５Ｂが位置している。それによって、前方縦断部分３５Ａ，３５Ｂは伸長され過ぎることなく鼠蹊部近傍との隙間を埋めるようにして肌に当接して、該部分を起点とする位置ずれや内部の蒸れを効果的に抑制することができる。
【００３３】
また、着用者の背側のうちで凹部となる臀溝２近傍を被覆するように第２域２２の後方縦断部分４３が位置している。それによって、後方縦断部分４３は伸長されすぎることなく臀溝２近傍との隙間を埋めるようにして肌に当接して、該部分を起点とする位置ずれや内部の蒸れを効果的に抑制することができる。
【００３４】
後方横断部分４５Ａ，４５Ｂは、後身頃１２の両側縁１２ｃ，１２ｄから縦断中心線Ｐに向かって次第に幅広となる形状を有する。かかる幅広の部分は着用者の尾てい骨近傍と対向しており、尾てい骨近傍を比較的に伸縮し難く、かつ、通気性の良い第２域２２によって広く覆うことによって、該部分との隙間を埋めて身体にフィットさせることができる。
【００３５】
また、第２域２２は第１域２１に比べて伸縮し難いことから、着用者が生理用ショーツ１０のウエスト開口縁部を把持して引き上げるときに、第１域２１に比べて上方への引張力が伝わりやすいといえる。したがって、前身頃１１において縦方向Ｙへ延びる前方縦断部分３５Ａ，３５Ｂと後身頃１２において縦方向Ｙへ延びる後方縦断部分４３とが配置されていることによって、着用時に生理用ショーツ１０全体を引き上げる際、股下域１３に配置された生理用ナプキンを身体に密着するように宛がうことができる。通常の生理用ショーツにおいては、後身頃の横方向の中央部分に引き上げを容易にするための縦断弾性体を配置しているが、本考案に係る生理用ショーツ１０においては、このように後方縦断部分４３がかかる縦断弾性体と同様の機能を兼ねていることから、別途、縦断弾性体を設ける必要はない。
【００３６】
後方横断部分４５Ａ，４５Ｂは１枚の第２伸縮生地から形成されているのに対し、後方縦断部分４３は、第２伸縮生地が複数重ねられて形成された複層域である。具体的には、後方縦断部分４３では２枚の第２伸縮生地が重ねられており、後方横断部分４５Ａ，４５Ｂに比べてより伸縮性が低く（伸長応力が高く）なっている。したがって、後方縦断部分４３は後身頃１２において最も伸縮し難い部分であって、後身頃１２を引き上げる際に、単層域に比べてより引き上げ力が伝わり易くなるといえる。
【００３７】
後方縦断部分４３は、後方横断部分４５Ａ，４５Ｂ間に位置する上端部４３ａと股下域１３側に位置する下端部４３ｂとを有する。後方縦断部分４３は、下端部４３ｂから上端部４３ａへ向かうにつれて次第に幅広となる形状を有する。股下域１３側に比べて発汗しやすいウエスト開口１８側を広く覆うことによって、通気性を向上して発汗を抑制することができる。また、上端部４３ａは、後方横断部分４５Ａ，４５Ｂの幅広部分とともに着用者の尾てい骨近傍を広く覆うことで、身体との隙間を埋めて位置ズレを抑制することができる。
【００３８】
後方縦断部分４３の横方向Ｘの両側に位置する後方両側部分４１，４２の一部には、シャーリング７０が形成されている。後方両側部分４１，４２にシャーリング７０が形成されていることによって、着用者の身体が比較的に大きい場合であってもシャーリング７０が展開されることで後方両側部分４１，４２がウエスト周り方向へ十分に伸長されて、身体にフィットさせることができる。
【００３９】
図５を参照すると、第１域２１からなる前方両側部分３１，３２と後方両側部分４１，４２とは同一の生地から形成されていて、縫い目がない状態（シームレス）でウエスト周り方向へ連続している。また、第２域２２からなる前方縦断部分３５Ａ，３５Ｂと後方横断部分４５Ａ，４５Ｂとは同一の生地から形成されていて縫い目がない状態（シームレス）でウエスト周り方向へ連続している。したがって、前身頃１１の第１及び第２域２１，２２からなる領域と後身頃１２の第１及び第２域２１，２２からなる領域とは、着用状態において、それらが縫い目によって連結されている場合に比べて連動しやすく、スポーツ等の激しい動きによって前後方向へ引っ張られても身体の動きに合せて伸縮して肌にフィットした状態を維持することができる。また、縫い目がないシームレスな態様であることから、すっきりとした外観を有し、スポーティな印象を与えることができる。
【００４０】
第２域２２を形成するメッシュ状の第２伸縮生地のメッシュ度合いは、所望の通気性及び伸縮性の度合いによって適宜調整することが可能であるが、第２域２２は、着用状態において、着用者の肌が外部に透視される透視領域であってもよい。かかる場合には、肌が透視されることで、良好な通気性を有する印象を与えることができる。なお、後方縦断部分４３は複数の第２伸縮生地が積層された部分であるから、第２域２２の他の部分に比べて透視され難く、臀溝２が外部に透視されるのを抑制することができる。また、後身頃１２において、後方縦断部分４３は複数の第２伸縮生地が積層されていることから、単数の第２伸縮生地からなる後方横断部分４５Ａ，４５Ｂに比べて色が濃くなっていて、特に第２域２２が第１域２１とは異なる色合いを有する場合において、濃淡によるコントラストが生理用ショーツ１０の装飾要素として寄与している。
【００４１】
再び、図２を参照すると、股下域１３には、第１域２１からなる股下生地５１の内面に固定された当て布５０を有する。当て布５０は、横方向Ｘへ延びる前後端部５０ａ，５０ｂと、前後端部間において縦方向Ｙへ延びる両側縁部とを有する。当て布５０の前後端部５０ａ，５０ｂは、一対の横断縫合ライン６，７を介して第１域２１からなる股下生地５１に固定されている。また、当て布５０の両側縁部は、股下生地５１に固定されておらず、前後端部５０ａ，５０ｂを除く部分は股下生地に固定されていない、フリー（非固定）の状態にある。当て布５０は、内外面側に位置する２枚のシートから構成されていて、内面側（肌対向面側）には、ポリエチレン繊維、ポリエステル繊維及びアクリル繊維等の合成繊維からなる防水加工された編地、外面側には第２伸縮生地と同様の通気性に優れた生地を用いることが好ましい。
【００４２】
図示していないが、生理用ショーツ１０の着用時において、当て布５０には、生理用ナプキンを取り付けることができる。具体的には、生理用ナプキンの非肌対向面を当て布５０に宛がった状態で翼部を折り曲げて股下生地５１と当て布５０との間に挿し入れて、翼部の肌対向面側に位置する粘着部分を介して当て布５０の非肌対向面に取り付けることによって、生理用ショーツ１０に生理用ナプキンを安定的に固定することができる。
【００４３】
当て布５０は、その前後端部５０ａ，５０ｂを除いてフリーであるので、股下域１３において吊持された状態となり、生理用ナプキンを着用者の身体の動きに追従させるように移動させることができ、経血の漏れを効果的に防止することができる。なお、生理用ショーツ１０は、スポーツ等の激しい運動を行う時に好適に使用されるものであるから、生理用ナプキン自体も身体の激しい動きに追従できるような形状、例えば、翼部の付け根や吸収体の両側縁部に内方へ延びる複数の切欠を有する等の捩れに対して追従できるような形状を有していることが好ましい。
【００４４】
生理用ショーツ１０を構成する部材には、特に明記されていない限りにおいて、本明細書に記載されている材料のほかに、この種の分野において通常用いられている公知の材料を制限なく用いることができる。また、本明細書において使用されている「第１」及び「第２」等の用語は、同様の要素、位置等を単に区別するために用いてある。
【符号の説明】
【００４５】
５  ショーツ本体
１０  生理用ショーツ
１１  前身頃
１２  後身頃
１２ｃ  後身頃の側縁
１２ｄ  後身頃の側縁
１３  股下域
１８  ウエスト開口
１９  レッグ開口
２１  第１域
２２  第２域
３１  前方側部分
３２  前方側部分
３３  前方中央部分
３５Ａ，３５Ｂ  前方縦断部分
４１  後方側部分
４２  後方側部分
４３  後方縦断部分
４３ａ  上端部
４３ｂ  下端部
４５Ａ，４５Ｂ  後方横断部分
Ｐ  縦断中心線
Ｘ  横方向
Ｙ  縦方向
【図１】
0003224661.tif 000003
【図２】
0003224661.tif 000004
【図３】
0003224661.tif 000005
【図４】
0003224661.tif 000006
【図５】
0003224661.tif 000007
【図６】
0003224661.tif 000008